(57)【要約】【課題】ＷＥＢサーバが携帯電話機の電話帳やアドレス帳などの内部データを編集・加工するためのＷＥＢページを提供することにより、携帯電話機の内部データを、ＷＥＢサーバを介してユーザの所有するパソコンで編集することを可能とし、編集した内部データをダウンロードして携帯電話機に取り込み設定することを可能とする。【解決手段】内部データを有する携帯電話機と、前記携帯電話機の前記内部データを記憶・保存すると共に、前記内部データを記入・編集可能なＷＥＢページを提供するＷＥＢサーバと、前記ＷＥＢサーバが記憶・保存する前記内部データを作成・編集・更新するパソコンなどの端末装置と、前記携帯電話機と前記ＷＥＢサーバと前記端末装置とを相互に接続する通信ネットワークとしてのインターネットと、から構成した。【選択図】      図１
2005175676.tif 000002
【特許請求の範囲】
【請求項１】
電話帳データや着信メロディ設定データなどから成る内部データを有する携帯電話機と、前記携帯電話機の前記内部データを記憶・保存すると共に、前記内部データを記入・編集可能なＷＥＢページを提供するＷＥＢサーバと、前記ＷＥＢサーバが記憶・保存する前記内部データを作成・編集・更新するパソコンなどの端末装置と、前記携帯電話機と前記ＷＥＢサーバと前記端末装置とを相互に接続する通信ネットワークとしてのインターネットと、から構成される内部データ編集システムであって、
前記携帯電話機は前記インターネットを介して前記ＷＥＢサーバにアクセスして前記携帯電話機の内部データをアップロードし、前記ＷＥＢサーバはアップロードされた前記内部データをＷＥＢページとして記憶・保存し、
前記端末装置は前記インターネットを介して前記ＷＥＢサーバにアクセスして前記携帯電話機の内部データを記入・編集可能なＷＥＢページをダウンロードし、前記ＷＥＢページに前記携帯電話機の内部データを書き込み又は編集した上で前記ＷＥＢサーバにアップロードし、前記ＷＥＢサーバは前記ＷＥＢページを記憶・保存し、
前記携帯電話機は前記インターネットを介して前記ＷＥＢサーバにアクセスして前記ＷＥＢサーバに記憶・保存されている前記携帯電話機の内部データであるところの前記ＷＥＢページをダウンロードし、前記ＷＥＢページの内部データで自携帯電話機の内部データを更新する、ことを特徴とする携帯電話の内部データ編集システム。
【請求項２】
前記ＷＥＢサーバは、携帯電話機の機種毎に、前記携帯電話機の内部データの書式に基づいたＷＥＢページを提供する機種別ＷＥＢページ保存データベースを備える、ことを特徴とする請求項１に記載の携帯電話の内部データ編集システム。
【請求項３】
前記端末装置が前記インターネットを介して前記ＷＥＢサーバにアクセスする際に、前記携帯電話機の機種を指定し、前記ＷＥＢサーバは前記機種に対応した書式を有する前記ＷＥＢページを前記端末装置にダウンロードする、ことを特徴とする請求項２に記載の携帯電話の内部データ編集システム。
【請求項４】
前記ＷＥＢサーバは、前記端末装置によって前記ＷＥＢサーバが記憶・保存しているＷＥＢページが新設或いは追加或いは変更された場合に、前記ＷＥＢページが更新（新設／追加／変更）されたことを示す電子メールを前記携帯電話機に送信する、ことを特徴とする請求項１から請求項３の何れか１項に記載の携帯電話の内部データ編集システム。
【請求項５】
前記電子メールには、前記ＷＥＢサーバが記憶・保存しているＷＥＢページに前記携帯電話機が到達するに必要なＵＲＬが含まれる、ことを特徴とする請求項４に記載の携帯電話の内部データ編集システム。
【請求項６】
前記携帯電話機が前記ＵＲＬにアクセスすると、前記ＵＲＬに対応するＷＥＢページが添付された電子メールが前記携帯電話機に送信され、前記携帯電話機は前記電子メールに添付の前記ＷＥＢページの内部データで自携帯電話機の内部データを更新する、ことを特徴とする請求項５に記載の携帯電話の内部データ編集システム。
【請求項７】
前記端末装置が前記インターネットを介して前記ＷＥＢサーバにアクセスすると、前記ＷＥＢサーバは前記端末装置にログイン画面を送信し、前記ログイン画面に所定のＩＤ番号やパスワードが入力されることにより、前記ＷＥＢサーバは前記携帯電話機の内部データを記入・編集可能なＷＥＢページを前記端末装置にダウンロードする、ことを特徴とする請求項１から請求項６の何れか１項に記載の携帯電話の内部データ編集システム。
【請求項８】
前記携帯電話機が前記インターネットを介して前記ＷＥＢサーバにアクセスすると、前記ＷＥＢサーバは前記携帯電話機に第２のログイン画面を送信し、前記第２のログイン画面に所定のＩＤ番号やパスワードが入力されることにより、前記ＷＥＢサーバは前記携帯電話機の内部データをアップロード若しくはダウンロード出来るＷＥＢページを前記携帯電話機に送信する、ことを特徴とする請求項１から請求項７の何れか１項に記載の携帯電話の内部データ編集システム。
【請求項９】
電話帳データや着信メロディ設定データなどから成る内部データを有する携帯電話機と、前記携帯電話機の前記内部データを記憶・保存すると共に、前記内部データを記入・編集可能なＷＥＢページを提供するＷＥＢサーバと、前記ＷＥＢサーバが記憶・保存する前記内部データを作成・編集・更新するパソコンなどの端末装置と、前記携帯電話機と前記ＷＥＢサーバと前記端末装置とを相互に接続する通信ネットワークとしてのインターネットと、から構成される内部データ編集システムにおいて、
前記携帯電話機は前記インターネットを介して前記ＷＥＢサーバにアクセスして前記携帯電話機の内部データをアップロードし、前記ＷＥＢサーバはアップロードされた前記内部データをＷＥＢページとして記憶・保存し、
前記端末装置は前記インターネットを介して前記ＷＥＢサーバにアクセスして前記携帯電話機の内部データを記入・編集可能なＷＥＢページをダウンロードし、前記ＷＥＢページに前記携帯電話機の内部データを書き込み又は編集した上で前記ＷＥＢサーバにアップロードし、前記ＷＥＢサーバは前記ＷＥＢページを記憶・保存し、
前記携帯電話機は前記インターネットを介して前記ＷＥＢサーバにアクセスして前記ＷＥＢサーバに記憶・保存されている前記携帯電話機の内部データであるところの前記ＷＥＢページをダウンロードし、前記ＷＥＢページの内部データで自携帯電話機の内部データを更新する、ことを特徴とする携帯電話の内部データ編集方法。
【請求項１０】
前記ＷＥＢサーバは、携帯電話機の機種毎に、前記携帯電話機の内部データの書式に基づいたＷＥＢページを提供する機種別ＷＥＢページ保存データベースを備え、前記端末装置が前記インターネットを介して前記ＷＥＢサーバにアクセスする際に、前記携帯電話機の機種を指定し、前記ＷＥＢサーバは前記機種に対応した書式を有する前記ＷＥＢページを前記端末装置にダウンロードする、ことを特徴とする請求項９に記載の携帯電話の内部データ編集方法。
【請求項１１】
前記ＷＥＢサーバは、前記端末装置によって前記ＷＥＢサーバが記憶・保存しているＷＥＢページが新設或いは追加或いは変更された場合に、前記ＷＥＢページが更新（新設／追加／変更）されたことを示す電子メールを前記携帯電話機に送信する、ことを特徴とする請求項９或いは請求項１０の何れか１項に記載の携帯電話の内部データ編集方法。
【請求項１２】
前記電子メールには、前記ＷＥＢサーバが記憶・保存しているＷＥＢページに前記携帯電話機が到達するに必要なＵＲＬが含まれる、ことを特徴とする請求項１１に記載の携帯電話の内部データ編集方法。
【請求項１３】
前記携帯電話機が前記ＵＲＬにアクセスすると、前記ＵＲＬに対応するＷＥＢページが添付された電子メールが前記携帯電話機に送信され、前記携帯電話機は前記電子メールに添付の前記ＷＥＢページの内部データで自携帯電話機の内部データを更新する、ことを特徴とする請求項１２に記載の携帯電話の内部データ編集方法。
【請求項１４】
前記端末装置が前記インターネットを介して前記ＷＥＢサーバにアクセスすると、前記ＷＥＢサーバは前記端末装置にログイン画面を送信し、前記ログイン画面に所定のＩＤ番号やパスワードが入力されることにより、前記ＷＥＢサーバは前記携帯電話機の内部データを記入・編集可能なＷＥＢページを前記端末装置にダウンロードする、ことを特徴とする請求項９から請求項１３の何れか１項に記載の携帯電話の内部データ編集方法。
【請求項１５】
前記携帯電話機が前記インターネットを介して前記ＷＥＢサーバにアクセスすると、前記ＷＥＢサーバは前記携帯電話機に第２のログイン画面を送信し、前記第２のログイン画面に所定のＩＤ番号やパスワードが入力されることにより、前記ＷＥＢサーバは前記携帯電話機の内部データをアップロード若しくはダウンロード出来るＷＥＢページを前記携帯電話機に送信する、ことを特徴とする請求項９から請求項１４の何れか１項に記載の携帯電話の内部データ編集方法。
【請求項１６】
携帯電話機の有する電話帳データや着信メロディ設定データなどから成る内部データを記憶・保存すると共に、前記内部データを記入・編集可能なＷＥＢページをインターネット上に提供するサーバ装置であって、
前記携帯電話機が前記インターネットを介して前記サーバ装置にアクセスして前記携帯電話機の内部データをアップロードすると前記サーバ装置はアップロードされた前記内部データをＷＥＢページとして記憶・保存し、
パソコンなどの端末装置が前記インターネットを介して前記サーバ装置にアクセスすると前記サーバ装置は前記携帯電話機の内部データを記入・編集可能なＷＥＢページをダウンロードし、前記端末装置が前記ＷＥＢページに前記携帯電話機の内部データを書き込み又は編集した上で前記サーバ装置にアップロードすると前記サーバ装置は前記ＷＥＢページを記憶・保存し、
前記携帯電話機が前記インターネットを介して前記サーバ装置にアクセスすると前記サーバ装置は前記サーバ装置に記憶・保存されている前記携帯電話機の内部データであるところの前記ＷＥＢページを前記携帯電話機にダウンロードする、ことを特徴とするサーバ装置。
【請求項１７】
前記サーバ装置は、携帯電話機の機種毎に、前記携帯電話機の内部データの書式に基づいたＷＥＢページを提供する機種別ＷＥＢページ保存データベースを備える、ことを特徴とする請求項１６に記載のサーバ装置。
【請求項１８】
前記端末装置が前記インターネットを介して前記サーバ装置にアクセスする際に、前記携帯電話機の機種を指定し、前記サーバ装置は前記機種に対応した書式を有する前記ＷＥＢページを前記端末装置にダウンロードする、ことを特徴とする請求項１７に記載のサーバ装置。
【請求項１９】
音声による電話機能としての携帯電話手段と、インターネットへのアクセス機能としてのインターネットアクセス手段と、電話帳データや着信メロディ設定データなどから成る内部データを記憶・保持する内部データ記憶手段と、を備える携帯電話機であって、
前記携帯電話機は更に、前記インターネットアクセス手段を介してインターネット上のサーバ装置からダウンロードした自携帯電話機の内部データを前記内部データ記憶手段に設定・保存すると共に、前記内部データ記憶手段の内部データを前記インターネットアクセス手段を介してインターネット上のサーバ装置にアップロードする内部データ取得・保存手段を備える、ことを特徴とする携帯電話機。
【請求項２０】
前記携帯電話機は更に電子メールの送受信機能としての電子メール手段を備え、前記内部データ取得・保存手段は、前記電子メール手段を介してインターネット上のサーバ装置から前記携帯電話機の内部データを添付した電子メールを受信した場合に該内部データを前記内部データ記憶手段に設定・保存する、ことを特徴とする請求項１９に記載の携帯電話機。
【発明の詳細な説明】
【技術分野】
【０００１】
本発明は、携帯電話の内部データ編集システムとその方法並びにサーバ装置と携帯電話機に関し、特に、携帯電話機の電話帳やアドレス帳などの内部データを、ＷＥＢサーバおよびインターネットを介してパソコンで編集し、編集した内部データを携帯電話機に取り込み設定することを可能とする、携帯電話の内部データ編集システムとその方法並びにサーバ装置と携帯電話機に関する。
【背景技術】
【０００２】
近年の携帯電話機の普及にはめざましいものがあり、携帯電話機の機能も年々増大し進歩してきている。例えば、現在の携帯電話機では、１，０００件もの電話帳やアドレス帳を内部に格納できるようになっており、また、着信メロディの選択設定や着信音量の設定など携帯電話機自身の動作をユーザが決定するための設定データの量も膨大なものとなってきている。そして、これら膨大な機能を有する携帯電話機を使いこなすためには、分厚い取扱説明書を読み込まねばならない状況になっている。
【０００３】
ところが、携帯電話機の大きさは、その機能の複雑さにもかかわらず小さなままであり、携帯電話機を操作するボタンの数も限られたものとなっている。従って、携帯電話機内に格納される電話帳やアドレス帳、インターネットにアクセスするためのブックマーク、或いは、着信メロディの選択設定や着信音量の設定、その他設定データ等々、携帯電話機の内部データを限られたボタンを用いて入力するのは大変煩わしく、これらの機能を十分には活用できないという問題点があった。
【０００４】
この問題点を解決する手段の一つとして、パソコンと携帯電話機とを直接ケーブルで接続し、パソコンで携帯電話機の内部データを編集できる編集ソフトウェアが販売されている。しかし、その恩恵にあやかるには、高価な編集ソフトウェアを購入せねばならず、また、パソコンと携帯電話機とを接続する専用のケーブルやコネクタをも購入せねばならない、という課題を有している。
【０００５】
このような課題を解消するシステムの一例として、携帯端末の機種変更時に、携帯端末の内部データをサーバ装置に保存し、保存した内部データを新携帯端末にダウンロードするシステムを提案しているものがある（例えば、特許文献１参照。）。
【０００６】
上述した特許文献１に記載の「サーバ装置および移動体通信システム」においては、サーバ装置は、携帯端末からアップロードされたデータを保存する保存手段と、保存されているデータを特定の携帯端末に適合するように加工するデータ加工手段と、保存されているデータを携帯端末へダウンロードするダウンロード手段とを備えている。このことにより、携帯端末の持っているデータ通信機能および情報処理機能を使用して、パソコンやソフトウェアを購入することなく、データの保存や他の携帯端末へのデータの移動を行うことができるようになる、としている。
【０００７】
【特許文献１】特開２００２−３１４７０６号公報（第２−５頁、図１−８）
【発明の開示】
【発明が解決しようとする課題】
【０００８】
上述した従来の特許文献１に記載のシステムは、サーバ装置がデータを加工するものであり、携帯端末のユーザが自身の有するパソコンなどでデータを編集・加工できるようにはなっていない。また、サーバ装置からデータを編集・加工するためのＷＥＢページを提供するものではなく、データのダウンロードを電子メールを使用して行うようにもなっていない。
【０００９】
本発明は上述した事情を改善するために成されたものであり、従って本発明の目的は、ＷＥＢサーバが携帯電話機の電話帳やアドレス帳などの内部データを編集・加工するためのＷＥＢページを提供することにより、携帯電話機の内部データを、ＷＥＢサーバおよびインターネットを介してユーザの所有するパソコンで編集することを可能とし、編集した内部データをダウンロードして携帯電話機に取り込み設定することを可能とし、また、内部データのダウンロードにおいては電子メールも使用可能とする、携帯電話の内部データ編集システムとその方法並びにサーバ装置と携帯電話機を提供することにある。
【課題を解決するための手段】
【００１０】
本発明の携帯電話の内部データ編集システムは、電話帳データや着信メロディ設定データなどから成る内部データを有する携帯電話機と、前記携帯電話機の前記内部データを記憶・保存すると共に、前記内部データを記入・編集可能なＷＥＢページを提供するＷＥＢサーバと、前記ＷＥＢサーバが記憶・保存する前記内部データを作成・編集・更新するパソコンなどの端末装置と、前記携帯電話機と前記ＷＥＢサーバと前記端末装置とを相互に接続する通信ネットワークとしてのインターネットと、から構成される内部データ編集システムであって、
前記携帯電話機は前記インターネットを介して前記ＷＥＢサーバにアクセスして前記携帯電話機の内部データをアップロードし、前記ＷＥＢサーバはアップロードされた前記内部データをＷＥＢページとして記憶・保存し、
前記端末装置は前記インターネットを介して前記ＷＥＢサーバにアクセスして前記携帯電話機の内部データを記入・編集可能なＷＥＢページをダウンロードし、前記ＷＥＢページに前記携帯電話機の内部データを書き込み又は編集した上で前記ＷＥＢサーバにアップロードし、前記ＷＥＢサーバは前記ＷＥＢページを記憶・保存し、
前記携帯電話機は前記インターネットを介して前記ＷＥＢサーバにアクセスして前記ＷＥＢサーバに記憶・保存されている前記携帯電話機の内部データであるところの前記ＷＥＢページをダウンロードし、前記ＷＥＢページの内部データで自携帯電話機の内部データを更新する、ことを特徴とする。
【００１１】
また、前記ＷＥＢサーバは、携帯電話機の機種毎に、前記携帯電話機の内部データの書式に基づいたＷＥＢページを提供する機種別ＷＥＢページ保存データベースを備える、ことを特徴とする。
【００１２】
さらに、前記端末装置が前記インターネットを介して前記ＷＥＢサーバにアクセスする際に、前記携帯電話機の機種を指定し、前記ＷＥＢサーバは前記機種に対応した書式を有する前記ＷＥＢページを前記端末装置にダウンロードする、ことを特徴とする。
【００１３】
また、前記ＷＥＢサーバは、前記端末装置によって前記ＷＥＢサーバが記憶・保存しているＷＥＢページが新設或いは追加或いは変更された場合に、前記ＷＥＢページが更新（新設／追加／変更）されたことを示す電子メールを前記携帯電話機に送信する、ことを特徴とする。
【００１４】
さらに、前記電子メールには、前記ＷＥＢサーバが記憶・保存しているＷＥＢページに前記携帯電話機が到達するに必要なＵＲＬが含まれる、ことを特徴とする。
【００１５】
また、前記携帯電話機が前記ＵＲＬにアクセスすると、前記ＵＲＬに対応するＷＥＢページが添付された電子メールが前記携帯電話機に送信され、前記携帯電話機は前記電子メールに添付の前記ＷＥＢページの内部データで自携帯電話機の内部データを更新する、ことを特徴とする。
【００１６】
さらに、前記端末装置が前記インターネットを介して前記ＷＥＢサーバにアクセスすると、前記ＷＥＢサーバは前記端末装置にログイン画面を送信し、前記ログイン画面に所定のＩＤ番号やパスワードが入力されることにより、前記ＷＥＢサーバは前記携帯電話機の内部データを記入・編集可能なＷＥＢページを前記端末装置にダウンロードする、ことを特徴とする。
【００１７】
また、前記携帯電話機が前記インターネットを介して前記ＷＥＢサーバにアクセスすると、前記ＷＥＢサーバは前記携帯電話機に第２のログイン画面を送信し、前記第２のログイン画面に所定のＩＤ番号やパスワードが入力されることにより、前記ＷＥＢサーバは前記携帯電話機の内部データをアップロード若しくはダウンロード出来るＷＥＢページを前記携帯電話機に送信する、ことを特徴とする。
【００１８】
本発明の携帯電話の内部データ編集方法は、電話帳データや着信メロディ設定データなどから成る内部データを有する携帯電話機と、前記携帯電話機の前記内部データを記憶・保存すると共に、前記内部データを記入・編集可能なＷＥＢページを提供するＷＥＢサーバと、前記ＷＥＢサーバが記憶・保存する前記内部データを作成・編集・更新するパソコンなどの端末装置と、前記携帯電話機と前記ＷＥＢサーバと前記端末装置とを相互に接続する通信ネットワークとしてのインターネットと、から構成される内部データ編集システムにおいて、
前記携帯電話機は前記インターネットを介して前記ＷＥＢサーバにアクセスして前記携帯電話機の内部データをアップロードし、前記ＷＥＢサーバはアップロードされた前記内部データをＷＥＢページとして記憶・保存し、
前記端末装置は前記インターネットを介して前記ＷＥＢサーバにアクセスして前記携帯電話機の内部データを記入・編集可能なＷＥＢページをダウンロードし、前記ＷＥＢページに前記携帯電話機の内部データを書き込み又は編集した上で前記ＷＥＢサーバにアップロードし、前記ＷＥＢサーバは前記ＷＥＢページを記憶・保存し、
前記携帯電話機は前記インターネットを介して前記ＷＥＢサーバにアクセスして前記ＷＥＢサーバに記憶・保存されている前記携帯電話機の内部データであるところの前記ＷＥＢページをダウンロードし、前記ＷＥＢページの内部データで自携帯電話機の内部データを更新する、ことを特徴とする。
【００１９】
また、前記ＷＥＢサーバは、携帯電話機の機種毎に、前記携帯電話機の内部データの書式に基づいたＷＥＢページを提供する機種別ＷＥＢページ保存データベースを備え、前記端末装置が前記インターネットを介して前記ＷＥＢサーバにアクセスする際に、前記携帯電話機の機種を指定し、前記ＷＥＢサーバは前記機種に対応した書式を有する前記ＷＥＢページを前記端末装置にダウンロードする、ことを特徴とする。
【００２０】
さらに、前記ＷＥＢサーバは、前記端末装置によって前記ＷＥＢサーバが記憶・保存しているＷＥＢページが新設或いは追加或いは変更された場合に、前記ＷＥＢページが更新（新設／追加／変更）されたことを示す電子メールを前記携帯電話機に送信する、ことを特徴とする。
【００２１】
また、前記電子メールには、前記ＷＥＢサーバが記憶・保存しているＷＥＢページに前記携帯電話機が到達するに必要なＵＲＬが含まれる、ことを特徴とする。
【００２２】
さらに、前記携帯電話機が前記ＵＲＬにアクセスすると、前記ＵＲＬに対応するＷＥＢページが添付された電子メールが前記携帯電話機に送信され、前記携帯電話機は前記電子メールに添付の前記ＷＥＢページの内部データで自携帯電話機の内部データを更新する、ことを特徴とする。
【００２３】
また、前記端末装置が前記インターネットを介して前記ＷＥＢサーバにアクセスすると、前記ＷＥＢサーバは前記端末装置にログイン画面を送信し、前記ログイン画面に所定のＩＤ番号やパスワードが入力されることにより、前記ＷＥＢサーバは前記携帯電話機の内部データを記入・編集可能なＷＥＢページを前記端末装置にダウンロードする、ことを特徴とする。
【００２４】
さらに、前記携帯電話機が前記インターネットを介して前記ＷＥＢサーバにアクセスすると、前記ＷＥＢサーバは前記携帯電話機に第２のログイン画面を送信し、前記第２のログイン画面に所定のＩＤ番号やパスワードが入力されることにより、前記ＷＥＢサーバは前記携帯電話機の内部データをアップロード若しくはダウンロード出来るＷＥＢページを前記携帯電話機に送信する、ことを特徴とする。
【００２５】
本発明のサーバ装置は、携帯電話機の有する電話帳データや着信メロディ設定データなどから成る内部データを記憶・保存すると共に、前記内部データを記入・編集可能なＷＥＢページをインターネット上に提供するサーバ装置であって、
前記携帯電話機が前記インターネットを介して前記サーバ装置にアクセスして前記携帯電話機の内部データをアップロードすると前記サーバ装置はアップロードされた前記内部データをＷＥＢページとして記憶・保存し、
パソコンなどの端末装置が前記インターネットを介して前記サーバ装置にアクセスすると前記サーバ装置は前記携帯電話機の内部データを記入・編集可能なＷＥＢページをダウンロードし、前記端末装置が前記ＷＥＢページに前記携帯電話機の内部データを書き込み又は編集した上で前記サーバ装置にアップロードすると前記サーバ装置は前記ＷＥＢページを記憶・保存し、
前記携帯電話機が前記インターネットを介して前記サーバ装置にアクセスすると前記サーバ装置は前記サーバ装置に記憶・保存されている前記携帯電話機の内部データであるところの前記ＷＥＢページを前記携帯電話機にダウンロードする、ことを特徴とする。
【００２６】
また、前記サーバ装置は、携帯電話機の機種毎に、前記携帯電話機の内部データの書式に基づいたＷＥＢページを提供する機種別ＷＥＢページ保存データベースを備える、ことを特徴とする。
【００２７】
さらに、前記端末装置が前記インターネットを介して前記サーバ装置にアクセスする際に、前記携帯電話機の機種を指定し、前記サーバ装置は前記機種に対応した書式を有する前記ＷＥＢページを前記端末装置にダウンロードする、ことを特徴とする。
【００２８】
本発明の携帯電話機は、音声による電話機能としての携帯電話手段と、インターネットへのアクセス機能としてのインターネットアクセス手段と、電話帳データや着信メロディ設定データなどから成る内部データを記憶・保持する内部データ記憶手段と、を備える携帯電話機であって、
前記携帯電話機は更に、前記インターネットアクセス手段を介してインターネット上のサーバ装置からダウンロードした自携帯電話機の内部データを前記内部データ記憶手段に設定・保存すると共に、前記内部データ記憶手段の内部データを前記インターネットアクセス手段を介してインターネット上のサーバ装置にアップロードする内部データ取得・保存手段を備える、ことを特徴とする。
【００２９】
また、前記携帯電話機は更に電子メールの送受信機能としての電子メール手段を備え、前記内部データ取得・保存手段は、前記電子メール手段を介してインターネット上のサーバ装置から前記携帯電話機の内部データを添付した電子メールを受信した場合に該内部データを前記内部データ記憶手段に設定・保存する、ことを特徴とする。
【発明の効果】
【００３０】
本発明の携帯電話の内部データ編集システムとその方法並びにサーバ装置と携帯電話機は、ＷＥＢサーバに携帯電話機の内部データを保存し、内部データを編集するための専用のＷＥＢページをユーザに提供しているため、携帯電話機に比べて入出力操作の容易なパソコンなどにより、ユーザは自身の携帯電話機の内部データを容易に編集することが可能となり、編集結果を容易に自身の携帯電話機に取り込み設定することが可能となる、という効果を有している。
【００３１】
また、本発明において、ＷＥＢサーバに携帯電話機の機種に応じた書式のＷＥＢページを用意し、かつ、機種間の内部データ変換手段を提供することにより、古い機種用としてＷＥＢサーバ内に保存していた内部データを新しい機種用の内部データに、ユーザの手を煩わせることなく変換して利用可能となる、という効果を奏することができる。
【００３２】
さらに、ＷＥＢサーバ内に保存されている内部データが新設／追加／変更された場合、その旨の電子メールを携帯電話機に送信することにより、該電子メールに添付の内部データを容易に携帯電話機に取り込み設定可能となる、という効果を奏することができる。
【発明を実施するための最良の形態】
【００３３】
次に、本発明の実施の形態について図面を参照して説明する。
【００３４】
図１は、本発明の携帯電話の内部データ編集システムの一実施形態を示すブロック図である。
【００３５】
図１に示す本実施の形態は、音声による電話機能を備えると共に、インターネットへのアクセス機能や電子メール送受信機能を備える携帯電話機５と、携帯電話機５との通信を無線回線により中継する基地局４と、携帯電話機５が有する内部データを編集する機能を提供するＷＷＷ（Ｗｏｒｌｄ  Ｗｉｄｅ  Ｗｅｂ：ワールドワイドウェブ）サーバとしてのＷＥＢサーバ２と、携帯電話機５を所有するユーザが携帯電話機５の内部データを設定・変更・編集するパソコン（パーソナルコンピュータ：Ｐｅｒｓｏｎａｌ  Ｃｏｍｐｕｔｅｒ）３と、これらを相互に接続する通信ネットワークとしてのインターネット１と、から構成されている。
【００３６】
ここで、携帯電話機５の内部データとは、携帯電話機５の内部に格納される電話帳のデータ、アドレス帳のデータ、ブックマークのデータ、スケジュールデータ、或いは、携帯電話機５の動作を決定する着信メロディの設定データ、着信音量の設定データ、ディスプレーの配色やコントラストを設定するデータ、指定した時刻に音で知らせるアラーム設定データ、などの設定データを指すものとし、この内部データは、携帯電話機５の機種によりそれぞれ異なる書式を有するデータである。
【００３７】
また、図１において、基地局４は、直接もしくは携帯電話会社の通信ネットワークを介してインターネット１に接続されており、無線回線を通じて携帯電話機５と交信可能であり、携帯電話機５の通信をインターネット１に接続可能となっている。そして、携帯電話機５とパソコン３はどちらも、インターネット１を通してＷＥＢサーバ２にアクセス出来るようになっている。
【００３８】
なお、図１のＷＥＢサーバ２を運営するサイトを、ＷＥＢサイトと称するものとする。
【００３９】
次に、図２を参照して、ＷＥＢサーバ２の構成について説明する。
【００４０】
図２は、ＷＥＢサーバの一例を示す詳細ブロック図である。
【００４１】
図２において、ＷＥＢサーバ２は、ワークステーション・サーバ等の情報処理装置によって構成され、インターネット１上にホームページ・ＷＥＢページ等を提供するＷＷＷサーバとして構成されている。
【００４２】
そして、ＷＥＢサーバ２は、パソコン３からのアクセスを受け付けるパソコンアクセス受付手段２１と、携帯電話機５からのアクセスを受け付ける携帯アクセス受付手段２２と、携帯電話機５の内部データを記載可能なＷＥＢページを生成するＷＥＢページ生成手段２３と、携帯電話機５の携帯電話番号ごとに、携帯電話機５の内部データをＷＥＢページとして記憶・保持する携帯内部データ保存データベース２５と、ＷＥＢページ生成手段２３からのＷＥＢページを取得して携帯内部データ保存データベース２５に保存すると共に、携帯内部データ保存データベース２５からＷＥＢページを取得してＷＥＢページ生成手段２３に渡す携帯内部データ取得・保存手段２４と、から構成されている。
【００４３】
ＷＥＢサーバ２は更に、携帯電話機５の機種別に、該当機種毎の内部データを記載可能なＷＥＢページを記憶・保持する機種別ＷＥＢページ保存データベース２７と、携帯電話機５の機種が変更された場合に、携帯内部データ保存データベース２５内の内部データのＷＥＢページを、変更後の機種に適合する書式に変換する携帯内部データ変換手段２８と、を備えている。
【００４４】
また、ＷＥＢサーバ２は更に、携帯内部データ保存データベース２５内のＷＥＢページが新設／追加／変更された場合に、その旨を示す電子メールを生成して携帯電話機５に送信する電子メール送信手段２６を備えている。
【００４５】
次に、図３、図４を参照して、携帯電話機５の構成について説明する。
【００４６】
図３は、携帯電話機のハードウェア構成の一例を示すブロック図である。
【００４７】
図３において、携帯電話機５は、無線回線によりアンテナ部５１を介して基地局４との通信を行う無線部５２と、無線部５２へ送信する通信情報を生成すると共に、無線部５２から受信する通信情報をデコードし、携帯電話機５の全体の制御を行う制御部５３と、制御部５３の動作時に必要となるデータ等を記憶するメモリ部５４と、制御部５３の音声情報を入出力するマイク／スピーカ５５と、制御部５３からの出力情報を表示する表示部５６と、制御部５３へ情報入力を行うキー操作部５７と、から構成されている。制御部５３はＣＰＵ（Ｃｅｎｔｒａｌ  Ｐｒｏｃｅｓｓｉｎｇ  Ｕｎｉｔ：中央処理装置）を備え、メモリ部５４に記憶・保持されているプログラムにより動作可能に構成されている。
【００４８】
図４は、携帯電話機の制御部及びメモリ部の一例を示すブロック図である。なお、図４において図３に示す構成要素に対応するものは同一の参照数字または符号を付し、その説明を省略するものとする。
【００４９】
図４において、制御部５３は、プログラム制御によって動作し、音声による電話機能としての携帯電話手段５３１と、インターネットへのアクセス機能としてのインターネットアクセス手段５３２と、電子メールの送受信機能としての電子メール手段５３３と、インターネットアクセス手段５３２或いは電子メール手段５３３との間で、携帯電話機５の内部データを送受信し、この内部データを内部データ記憶手段５４１に設定・保存すると共に、内部データ記憶手段５４１から内部データを取得する、内部データ取得・保存手段５３４と、から構成されている。
【００５０】
メモリ部５４には、前述したように、携帯電話機５の内部に格納される電話帳のデータ、アドレス帳のデータ、ブックマークのデータ、スケジュールデータ、或いは、携帯電話機５の動作を決定する着信メロディの設定データ、着信音量の設定データ、ディスプレーの配色やコントラストを設定するデータ、指定した時刻に音で知らせるアラーム設定データ、などの設定データであるところの内部データを記憶・保持する内部データ記憶手段５４１が備えられている。
【００５１】
次に、図１から図４に示した本実施形態の動作について詳細に説明する。
【００５２】
先ず、パソコン３とＷＥＢサーバ２の交信手順について、図５、図６、図７を参照して説明する。
【００５３】
図５は、本実施形態の動作を説明する第１のフローチャートである。
【００５４】
図５において、携帯電話機５のユーザが、携帯電話機５の内部データを、パソコン３を用いて編集することを希望する場合には、パソコン３のＷｅｂブラウザ（Ｂｒｏｗｓｅｒ）を動作させ、ＷＥＢサーバ２のパソコンアクセス受付手段２１のＵＲＬ（Ｕｎｉｆｏｒｍ  Ｒｅｓｏｕｒｃｅ  Ｌｏｃａｔｏｒ：ユニフォームリソースロケータ）を入力してＷＥＢサーバ２にアクセスする（図５のステップＳ１）。ＷＥＢサーバ２のパソコンアクセス受付手段２１は、例えば図６に示すようなＬｏｇｉｎ（ログイン）画面をパソコン３に対して送信する（ステップＳ２）。
【００５５】
図６に示すＬｏｇｉｎ画面で、ユーザ自身のＩＤ番号６１とＰａｓｓｗｏｒｄ（パスワード）６２及び携帯電話機５の携帯電話番号６３とを入力し、プルダウンメニュー６４によって携帯電話機５の機種を選択し、「ＧＯ」ボタン６５を押下することにより、このＬｏｇｉｎ画面で設定したデータがＷＥＢサーバ２に送信される（ステップＳ３）。
【００５６】
ＷＥＢサーバ２のパソコンアクセス受付手段２１は、ステップＳ３で送信されたデータのＩＤ番号６１とＰａｓｓｗｏｒｄ６２でユーザの認証を行い、認証が成功すると、ＷＥＢページ生成手段２３を起動して、携帯電話機５の機種に対応したデータ入力書式を有するＷＥＢページを生成し、このＷＥＢページをパソコン３に送信する（ステップＳ４）。
【００５７】
ＷＥＢページ生成手段２３が生成するＷＥＢページは、該当携帯電話機５の携帯電話番号６３（図６）に対応する内部データが、未だ携帯内部データ保存データベース２５に保存されていない場合には、該当携帯電話機５の機種６４（図６）に対応したデータ入力書式を有するＷＥＢページが、機種別ＷＥＢページ保存データベース２７から抽出されて新規に生成される。
【００５８】
一方、該当携帯電話機５の携帯電話番号６３（図６）に対応する内部データが、既に携帯内部データ保存データベース２５に保存されている場合には、携帯内部データ取得・保存手段２４を介して携帯内部データ保存データベース２５から該当内部データのＷＥＢページを取得し、取得したＷＥＢページがそのままの形でＷＥＢページ生成手段２３の生成するＷＥＢページとなり、パソコン３に送信される。なお、携帯内部データ保存データベース２５から取得したＷＥＢページが過去に保存された際の（携帯電話機の）機種と、今パソコン３から送信された該当携帯電話機５の機種６４（図６）とが異なっている場合には、ＷＥＢページ生成手段２３は携帯内部データ変換手段２８を起動し、携帯内部データ保存データベース２５から取得したＷＥＢページを新たな機種６４（図６）に適合する書式のＷＥＢページに変換した後、パソコン３に送信する。
【００５９】
ステップＳ４で送信されるＷＥＢページは、携帯電話機５の内部データを編集するための編集画面となっており、内部データが例えばアドレス帳であるものとすれば、図７に示すようなアドレス帳編集のためのＷＥＢページとなっている。
【００６０】
図７において、このＷＥＢページは、携帯電話機５が有する内部データの内のアドレス帳と同一の入力書式となっており、携帯電話機５が有するアドレス帳のメモリーアドレスであるところのメモリー７１の欄に対応して、氏名７２、フリガナ７３、電話番号７４、メールアドレス７５の欄が配置されて構成されている。パソコン３では、これらの欄の何れをも編集する事が可能であり、また、新規の欄に新規入力する事、或いは、既存の欄の削除なども可能である。なお、このＷＥＢページには、パソコン３を使用して内部データを編集するユーザのために、内部データに関する説明などを詳細に記載したヘルプ情報も表示されるようになっている。
【００６１】
パソコン３で編集の終了したＷＥＢページは、ＷＥＢページ内の「ＧＯ」ボタン７６を押下することにより、ＷＥＢサーバ２に送付される（ステップＳ５）。ＷＥＢサーバ２のＷＥＢページ生成手段２３は該ＷＥＢページを受信して保存する。
【００６２】
ＷＥＢサーバ２のＷＥＢページ生成手段２３は、次の内部データに対応するＷＥＢページ（例えば、ブックマークのデータを編集するＷＥＢページの画面、或いは、着信メロディの設定データを編集するＷＥＢページの画面、等々）を生成して、パソコン３に送信する（ステップＳ６）。パソコン３で送信されたＷＥＢページの編集を行い、編集結果をＷＥＢサーバ２に送付し（ステップＳ７）、ＷＥＢサーバ２のＷＥＢページ生成手段２３は該ＷＥＢページを受信して保存する。
【００６３】
ＷＥＢサーバ２のＷＥＢページ生成手段２３が、該当携帯電話機５の携帯電話番号６３（図６）に対応する必要な内部データについて、必要なＷＥＢページを全て受信し終わると、ＷＥＢページ生成手段２３はＬｏｇｏｆｆ（ログオフ）画面をパソコン３に対して送信する（ステップＳ８）。パソコン３からＬｏｇｏｆｆの応答が返送されれば（ステップＳ９）、ＷＥＢページ生成手段２３はそれまで受信し保存しておいた全てのＷＥＢページを、携帯内部データ取得・保存手段２４を使用して携帯内部データ保存データベース２５に蓄積して、内部データの更新を行い保存する（ステップＳ１０）。
【００６４】
次に、ＷＥＢサーバ２の携帯内部データ保存データベース２５に保存してある携帯電話機５の内部データを、携帯電話機５にダウンロードする手順について、図８、図９、図１０を参照して説明する。
【００６５】
図８は、本実施形態の動作を説明する第２のフローチャートである。
【００６６】
図８において、ＷＥＢサーバ２に保存してある携帯電話機５の内部データを、携帯電話機５にダウンロードする場合には、携帯電話機５のインターネットアクセス手段５３２の有するＷｅｂブラウザを動作させ、ＷＥＢサーバ２の携帯アクセス受付手段２２のＵＲＬを入力してＷＥＢサーバ２にアクセスする（図８のステップＳ２１）。ＷＥＢサーバ２の携帯アクセス受付手段２２は、例えば図９に示すようなＬｏｇｉｎ画面を携帯電話機５に対して送信する（ステップＳ２２）。
【００６７】
図９に示すＬｏｇｉｎ画面で、携帯電話機５のユーザ自身のＩＤ番号９１とＰａｓｓｗｏｒｄ９２とを入力し、「ＧＯ」ボタン９３を押下することにより、このＬｏｇｉｎ画面で設定したデータがＷＥＢサーバ２に送信される（ステップＳ２３）。
【００６８】
ＷＥＢサーバ２の携帯アクセス受付手段２２は、ステップＳ２３で送信されたデータのＩＤ番号９１とＰａｓｓｗｏｒｄ９２でユーザの認証を行い、認証が成功すると、図１０に示すようなダウンロード／アップロード選択画面を携帯電話機５に送信する。
【００６９】
図１０のダウンロードボタン１０１を選択し、「ＧＯ」ボタン１０３を押下すると、ＷＥＢサーバ２に保存されている携帯電話機５の内部データをダウンロードするための要求がＷＥＢサーバ２に送信される。ＷＥＢサーバ２の携帯アクセス受付手段２２は、このダウンロード要求を受け付け、ＷＥＢページ生成手段２３を起動し、ＷＥＢページ生成手段２３は携帯内部データ取得・保存手段２４を介して携帯内部データ保存データベース２５に保存されている携帯電話機５の内部データをＷＥＢページの形式で取得し、このＷＥＢページ、すなわち、携帯電話機５の内部データの編集結果のデータを、携帯電話機５にダウンロードする（ステップ２４）。
【００７０】
携帯電話機５のインターネットアクセス手段５３２は、ダウンロードされたＷＥＢページを内部データ取得・保存手段５３４に渡し、内部データ取得・保存手段５３４は、ダウンロードされたＷＥＢページを内部データ記憶手段５４１に蓄積して、内部データの更新を行い保存する（ステップＳ２５）。
【００７１】
なお、上述の実施形態においては、ＷＥＢサーバ２が携帯電話機５の内部データをＷＥＢページの形式でダウンロードし、携帯電話機５の内部データ取得・保存手段５３４が、ダウンロードされたＷＥＢページを内部データ記憶手段５４１に蓄積して更新するようにしているが、この方式に代え、以下に記すような方式とすることも可能である。
【００７２】
すなわち、ＷＥＢサーバ２が携帯電話機５の内部データをＷＥＢページの形式でダウンロードする際に、併せて、Ｊａｖａ（登録商標）（ジャバ）言語などで作成された、内部データ更新用のプログラムを携帯電話機５にダウンロードし、携帯電話機５のインターネットアクセス手段５３２が有するＷｅｂブラウザ上に該プログラムを読み込んで動作させて、ダウンロードされたＷＥＢページを、内部データ記憶手段５４１に蓄積させ、内部データを更新させるようにする。このような方式とすれば、上述の実施形態で必要であった内部データ取得・保存手段５３４は、不要となり、通常の携帯電話機５の構成で内部データを更新することが可能となる。
【００７３】
次に、携帯電話機５の内部データ記憶手段５４１に記憶されている内部データを、ＷＥＢサーバ２の携帯内部データ保存データベース２５にアップロードする手順について、図１１を参照して説明する。
【００７４】
図１１は、本実施形態の動作を説明する第３のフローチャートである。
【００７５】
図１１において、携帯電話機５の内部データをＷＥＢサーバ２にアップロードする場合には、携帯電話機５のインターネットアクセス手段５３２の有するＷｅｂブラウザを動作させ、ＷＥＢサーバ２の携帯アクセス受付手段２２のＵＲＬを入力してＷＥＢサーバ２にアクセスする（図１１のステップＳ３１）。ＷＥＢサーバ２の携帯アクセス受付手段２２は、例えば図９に示したようなＬｏｇｉｎ画面を携帯電話機５に対して送信する（ステップＳ３２）。
【００７６】
図９に示したＬｏｇｉｎ画面で、携帯電話機５のユーザ自身のＩＤ番号９１とＰａｓｓｗｏｒｄ９２とを入力し、「ＧＯ」ボタン９３を押下することにより、このＬｏｇｉｎ画面で設定したデータがＷＥＢサーバ２に送信される（ステップＳ３３）。
【００７７】
ＷＥＢサーバ２の携帯アクセス受付手段２２は、ステップＳ３３で送信されたデータのＩＤ番号９１とＰａｓｓｗｏｒｄ９２でユーザの認証を行い、認証が成功すると、図１０に示したようなダウンロード／アップロード選択画面を携帯電話機５に送信する。
【００７８】
図１０のアップロードボタン１０２を選択し、「ＧＯ」ボタン１０３を押下すると、携帯電話機５の内部データをアップロードするための要求がＷＥＢサーバ２に送信される。ＷＥＢサーバ２の携帯アクセス受付手段２２は、このアップロード要求を受け付けると、アップロードを許可する信号を携帯電話機５に送信する（ステップＳ３４）。
【００７９】
携帯電話機５のインターネットアクセス手段５３２は、このアップロードを許可する信号を受信すると、内部データ取得・保存手段５３４を起動して内部データ記憶手段５４１内の内部データを取得し、取得した内部データをＷＥＢサーバ２にアップロードする（ステップＳ３５）。
【００８０】
ＷＥＢサーバ２の携帯アクセス受付手段２２はアップロードされた内部データをＷＥＢページ生成手段２３に渡し、ＷＥＢページ生成手段２３はアップロードされた内部データをＷＥＢページの書式に変換し、携帯内部データ取得・保存手段２４を介して、携帯内部データ保存データベース２５に蓄積して、内部データの更新を行い保存する（ステップＳ３６）。
【００８１】
なお、上述の実施形態においては、携帯電話機５のインターネットアクセス手段５３２が、ＷＥＢサーバ２からのアップロードを許可する信号を受信した際に、内部データ取得・保存手段５３４を起動して内部データ記憶手段５４１内の内部データを取得し、取得した内部データをＷＥＢサーバ２にアップロードするようにしているが、この方式に代え、以下に記すような方式とすることも可能である。
【００８２】
すなわち、ＷＥＢサーバ２がアップロードを許可する信号を送信する際に、併せて、Ｊａｖａ（登録商標）言語などで作成された、内部データをアップロードするためのプログラムを携帯電話機５にダウンロードし、携帯電話機５のインターネットアクセス手段５３２が有するＷｅｂブラウザ上に該プログラムを読み込んで動作させて、内部データ記憶手段５４１内の内部データをアップロードさせるようにする。このような方式とすれば、上述の実施形態で必要であった内部データ取得・保存手段５３４は、不要となり、通常の携帯電話機５の構成で内部データをアップロードすることが可能となる。
【００８３】
以上説明したように、本実施形態によれば、ＷＥＢサーバ２に携帯電話機５の内部データを保存し、内部データを編集するための専用のＷＥＢページをユーザに提供しているため、携帯電話機５に比べて入出力操作の容易なパソコン３などにより、ユーザは自身の携帯電話機５の内部データを容易に編集することが可能となり、編集結果を容易に自身の携帯電話機５に取り込み設定することが可能となる、という効果を有している。
【００８４】
また、ＷＥＢサーバ２に携帯電話機の機種に応じた書式のＷＥＢページを用意しており、かつ、機種間の内部データ変換手段を提供しているため、古い機種用としてＷＥＢサーバ２内に保存していた内部データを新しい機種用の内部データに、ユーザの手を煩わせることなく変換して利用可能となる、という効果を有している。
【００８５】
次に、本発明の携帯電話の内部データ編集システムの第２の実施形態について、図１２を参照して説明する。
【００８６】
本発明の第２の実施形態は、その構成については図１〜図４に示した第１の実施形態と同一であるため、その詳細な説明は省略するものとする。
【００８７】
また、第２の実施形態の動作においては、パソコン３とＷＥＢサーバ２の交信手順（図５〜図７で示した動作）、及び、携帯電話機５の内部データをＷＥＢサーバ２にアップロードする手順（図１１で示した動作）についても、第１の実施形態と同一であるため、その詳細な説明は省略するものとする。
【００８８】
すなわち、本発明の第２の実施形態は、ＷＥＢサーバ２に保存してある携帯電話機５の内部データを、携帯電話機５にダウンロードする手順において第１の実施形態と異なるものであり、ダウンロードに電子メールを使用するようにしたものである。
【００８９】
図１２に示す第２の実施形態の動作を説明するフローチャートを参照して、ＷＥＢサーバ２の携帯内部データ保存データベース２５に保存してある携帯電話機５の内部データを、携帯電話機５にダウンロードする手順について説明する。
【００９０】
ＷＥＢサーバ２の携帯内部データ取得・保存手段２４は、ＷＥＢページ生成手段２３からＷＥＢページを携帯内部データ保存データベース２５に蓄積・保存させるよう依頼され起動された場合（例えば、第１の実施形態の図５のステップＳ１０に示したような場合）、該ＷＥＢページは、新規に携帯内部データ保存データベース２５に蓄積・保存されたものであるか、或いは、追加されたものであるか、或いは、変更されたものであるか、を判定し（図１２のステップＳ４１）、その旨を電子メール送信手段２６に通知する。
【００９１】
電子メール送信手段２６は、携帯内部データ保存データベース２５内のＷＥＢページが更新（新設／追加／変更）された旨の電子メールを、該当ＷＥＢページの携帯電話番号を有する携帯電話機５に送信する（ステップＳ４２）。この電子メールには、該当ＷＥＢページにアクセスする際に必要とされるＵＲＬが書き込まれている。
【００９２】
ステップＳ４２で送信された電子メールを、電子メール手段５３３により受信した携帯電話機５は、該電子メールを携帯電話機５の表示部５６に表示する。
【００９３】
携帯電話機５のユーザは該電子メールを参照し、該電子メールに記載されているＷＥＢページをダウンロードする必要があると判断した場合には、該電子メールに記載のＵＲＬにインターネットアクセス手段５３２を使用してアクセスする（ステップＳ４３）。
【００９４】
ステップＳ４３のアクセス要求は、ＷＥＢサーバ２の電子メール送信手段２６を介して受信され、電子メール送信手段２６はアクセス要求のあったＵＲＬのＷＥＢページを携帯内部データ保存データベース２５から取得し、取得したＷＥＢページを添付ファイルとする電子メールを携帯電話機５に送信する（ステップＳ４４）。
【００９５】
ステップＳ４４で送信された電子メールを、電子メール手段５３３により受信した携帯電話機５は、該電子メールの添付ファイル（ＷＥＢページである）を内部データ取得・保存手段５３４に渡し、内部データ取得・保存手段５３４は渡されたＷＥＢページを内部データ記憶手段５４１に蓄積して、内部データの更新を行い保存する（ステップＳ４５）。
【００９６】
以上説明したように、第２の実施形態によれば、ＷＥＢサーバ２内に保存されている内部データが新設／追加／変更された場合には、その旨の電子メールが携帯電話機５に送信されるため、該電子メールに添付の（ＷＥＢページの形式の）内部データを容易に携帯電話機に取り込み設定可能となる、という効果を有している。
【００９７】
なお、上述の第１、第２の実施形態におけるＷＥＢサーバ２を、携帯電話機メーカーが運用するようにすれば、該メーカーの携帯電話機の販売促進に繋がり、携帯電話事業者が運用するようにすれば、該携帯電話事業者のシェアの拡大に繋がる。メーカーや事業者以外の第三者が運用する場合には、ユーザからＷＥＢサーバ２の使用料を取ることが可能となり、ＷＥＢページ上に広告等を掲載してスポンサーから広告料を取ることも可能となる。
【図面の簡単な説明】
【００９８】
【図１】本発明の携帯電話の内部データ編集システムの一実施形態を示すブロック図である。
【図２】ＷＥＢサーバの一例を示す詳細ブロック図である。
【図３】携帯電話機のハードウェア構成の一例を示すブロック図である。
【図４】携帯電話機の制御部及びメモリ部の一例を示すブロック図である。
【図５】本実施形態の動作を説明する第１のフローチャートである。
【図６】パソコンに送信されるＬｏｇｉｎ画面の一例を示す図である。
【図７】アドレス帳編集のためのＷＥＢページの一例を示す図である。
【図８】本実施形態の動作を説明する第２のフローチャートである。
【図９】携帯電話機に送信されるＬｏｇｉｎ画面の一例を示す図である。
【図１０】ダウンロード／アップロード選択画面の一例を示す図である。
【図１１】本実施形態の動作を説明する第３のフローチャートである。
【図１２】第２の実施形態の動作を説明するフローチャートである。
【符号の説明】
【００９９】
１    インターネット
２    ＷＥＢサーバ
２１    パソコンアクセス受付手段
２２    携帯アクセス受付手段
２３    ＷＥＢページ生成手段
２４    携帯内部データ取得・保存手段
２５    携帯内部データ保存データベース
２６    電子メール送信手段
２７    機種別ＷＥＢページ保存データベース
２８    携帯内部データ変換手段
３    パソコン
４    基地局
５    携帯電話機
５１    アンテナ部
５２    無線部
５３    制御部
５３１    携帯電話手段
５３２    インターネットアクセス手段
５３３    電子メール手段
５３４    内部データ取得・保存手段
５４    メモリ部
５４１    内部データ記憶手段
５５    マイク／スピーカ
５６    表示部
５７    キー操作部
【図１】
2005175676.tif 000003
【図２】
2005175676.tif 000004
【図３】
2005175676.tif 000005
【図４】
2005175676.tif 000006
【図５】
2005175676.tif 000007
【図６】
2005175676.tif 000008
【図７】
2005175676.tif 000009
【図８】
2005175676.tif 000010
【図９】
2005175676.tif 000011
【図１０】
2005175676.tif 000012
【図１１】
2005175676.tif 000013
【図１２】
2005175676.tif 000014